(57)【要約】【課題】元のＹ／色差コンポーネント信号が、どのようにしてそのガマット・エラーを発生させているかを把握する。【解決手段】本発明の映像信号監視装置は、Ｒ成分、Ｇ成分、Ｂ成分のそれぞれのガマット・エラーを検出する手段を備える。具体的に、Ｒ成分のガマット・エラーを検出する手段は、Ｙ／色差コンポーネント信号のＰｒ成分（第１色差成分）とＲＧＢコンポーネント信号の上限値Ｓ及び下限値Ｔとから、Ｙ＞Ｓ−ａ×Ｐｒ（ａは、所定の係数である）という第１条件とＹ＜Ｔ−ａ×Ｐｒという第２条件を生成する手段と、第１条件又は第２条件を満たす場合、Ｒ成分に関してガマット・エラー状態を視覚化可能とする手段と、を備える。Ｇ成分及びＢ成分のガマット・エラーを検出する手段のそれぞれは、第１条件及び第２条件と同様な条件を生成し、ガマット・エラー状態を視覚化可能とする。【選択図】  図２ａ
2004260284.tif 000002
【特許請求の範囲】
【請求項１】
映像信号を監視する装置であって、該装置は、
Ｙ／色差コンポーネント信号（Ｙ，Ｐｒ，Ｐｂ）を入力する手段と、
ＲＧＢコンポーネント信号（Ｒ，Ｇ，Ｂ）のすべての成分に対応する上限値Ｓ及び下限値Ｔを設定する手段と、
ガマット・エラーを判定する手段であって、
Ｒ成分、Ｇ成分及びＢ成分のうち少なくとも１成分が上限値Ｓよりも大きいという条件を表している、Ｙ＞Ｓ＋α×Ｐｂ＋β×Ｐｒ（α及びβは、それぞれ所定の係数である）という第１条件、及び、
Ｒ成分、Ｇ成分及びＢ成分のうち少なくとも１成分が下限値Ｔよりも小さいという条件を表している、Ｙ＜Ｔ＋γ×Ｐｂ＋δ×Ｐｒ（γ及びδは、それぞれ所定の係数である）という第２条件、のうち、
少なくとも１つの条件を満たすか否かを判定する手段と、
第１条件又は第２条件を満たす場合、ガマット・エラー状態を視覚化可能とする手段と、
を備える装置。
【請求項２】
映像信号を監視する装置であって、該装置は、
Ｒ成分、Ｇ成分、Ｂ成分のそれぞれのガマット・エラーを検出する手段を備え、
Ｒ成分のガマット・エラーを検出する手段は、
Ｙ／色差コンポーネント信号のＰｒ成分（第１色差成分）とＲＧＢコンポーネント信号の上限値Ｓ及び下限値Ｔとから、Ｙ＞Ｓ−ａ×Ｐｒ（ａは、所定の係数である）という第１条件とＹ＜Ｔ−ａ×Ｐｒという第２条件を生成する手段と、
第１条件又は第２条件を満たす場合、Ｒ成分に関してガマット・エラー状態を視覚化可能とする手段と、
を備え、
Ｇ成分のガマット・エラーを検出する手段は、
Ｙ／色差コンポーネント信号のＰｒ成分及びＰｂ成分（第２色差成分）とＲＧＢコンポーネント信号の上限値Ｓ及び下限値Ｔとから、Ｙ＞Ｓ＋ｂ×Ｐｂ＋ｃ×Ｐｒ（ｂ及びｃは、それぞれ所定の係数である）という第３条件とＹ＜＋ｂ×Ｐｂ＋ｃ×Ｐｒという第４条件を生成する手段と、
第３条件又は第４条件を満たす場合、Ｇ成分に関してガマット・エラー状態を視覚化可能とする手段と、
を備え、
Ｂ成分のガマット・エラーを検出する手段は、
Ｙ／色差コンポーネント信号のＰｂ成分とＲＧＢコンポーネント信号の上限値Ｓ及び下限値Ｔとから、Ｙ＞Ｓ−ｄ×Ｐｒ（ｄは、所定の係数である）という第５条件とＹ＜Ｔ−ｄ×Ｐｒという第６条件を生成する手段と、
第５条件又は第６条件を満たす場合、Ｂ成分に関してガマット・エラー状態を視覚化可能とする手段と、
を備える、装置。
【発明の詳細な説明】
【０００１】
【発明の属する技術分野】
本発明は、映像信号監視装置に関連し、特に、Ｙ／色差コンポーネント信号を監視する装置に関連する。
【０００２】
【従来の技術】
映像信号は、例えば、ＲＧＢコンポーネント信号、Ｙ／色差コンポーネント信号、ＮＴＳＣコンポジット信号などの様々な方式で、規定されている。従来の映像システムにおいて、基本的に、入力側の映像信号の方式（ＲＧＢコンポーネント信号）は、出力側の映像信号の方式（ＲＧＢコンポーネント信号）と同じである。具体的に、従来の映像システムにおいて、ＲＧＢコンポーネント信号は、入力装置（例えば、カメラ）から入力され、一旦、Ｙ／色差コンポーネント信号に変換され、伝送される。その後、その映像システムにおいて、Ｙ／色差コンポーネント信号は、再び、ＲＧＢコンポーネント信号に変換され、ＲＧＢコンポーネント信号が、出力装置（例えば、テレビ）から出力される。従って、伝送系や機器に問題がない限り、出力側（表示側）のＲＧＢコンポーネント信号は、原理的に、入力側と同じとなり、異常な値を持たない。
【０００３】
しかしながら、近年のコンピュータ・グラフィックの発達に伴い、ＲＧＢコンポーネント信号を取り扱う入力装置（例えば、カメラ）の代わりに、Ｙ／色差コンポーネント信号を取り扱う入力装置（例えば、コンピュータ）が、使用される場合もある。また、編集装置が、近年、発達したため、伝送段階におけるＹ／色差コンポーネント信号を、その編集装置によって、意図的に調整できるようになった。
【０００４】
図１は、ＲＧＢコンポーネント信号のガマットとＹ／色差コンポーネント信号のガマットとを表す。図１に示すように、Ｙ／色差コンポーネント信号のガマットは、ＲＧＢコンポーネント信号のガマットよりも広いため、Ｙ／色差コンポーネント信号が、入力側の映像信号の方式して使用される場合、又は、伝送段階におけるＹ／色差コンポーネント信号のレベルが、意図的に調整される場合、出力側（表示側）のＲＧＢコンポーネント信号は、出力側のガマット内に存在せず、異常な値を持ち得る。従って、出力側（表示側）のＲＧＢコンポーネント信号が、異常な値を持つか否かを監視する必要がある。
【０００５】
出力側（表示側）のＲＧＢコンポーネント信号を監視する方法は、例えば、以下に示す特許文献１に記載されている。
【０００６】
【特許文献１】
特公平４−７７５１８号公報（第１図）
【０００７】
【発明が解決しようとする課題】
しかしながら、特許文献１に記載の方法は、Ｙ／色差コンポーネント信号をＲＧＢコンポーネント信号に変換し、変換されたＲＧＢ値が出力側のガマット内に存在し、異常な値を持たないか否かを判定する。その結果、変換されたＲＧＢコンポーネント信号のガマット・エラーを、監視することができる一方、元のＹ／色差コンポーネント信号が、どのようにしてそのガマット・エラーを発生させているかを把握することが、困難であった。そのため、ＲＧＢコンポーネント信号のガマット・エラーが検出された場合、そのガマット・エラーを解決するために、作業者は、どのように元のＹ／色差コンポーネント信号を調整するのか、分かり難くかった。
【０００８】
従って、本発明の目的は、ＲＧＢコンポーネント信号に変換される前のＹ／色差コンポーネント信号のガマット・エラーを監視することにある。
本発明のもう１つの目的は、元のＹ／色差コンポーネント信号が、どのようにしてそのガマット・エラーを発生させているかを把握することにある。
【０００９】
本発明の他の目的は、作業者が、どのように元のＹ／色差コンポーネント信号を調整すれば良いのか、分かり易い映像信号監視装置を提供することにある。
【００１０】
【課題を解決するための手段】
上記目的を達成するために、本発明の映像信号監視装置は：Ｙ／色差コンポーネント信号（Ｙ，Ｐｒ，Ｐｂ）を入力する手段と；ＲＧＢコンポーネント信号（Ｒ，Ｇ，Ｂ）のすべての成分に対応する上限値Ｓ及び下限値Ｔを設定する手段と；ガマット・エラーを判定する手段であって、Ｒ成分、Ｇ成分及びＢ成分のうち少なくとも１成分が上限値Ｓよりも大きいという条件を表している、Ｙ＞Ｓ＋α×Ｐｂ＋β×Ｐｒ（α及びβは、それぞれ所定の係数である）という第１条件、及び、Ｒ成分、Ｇ成分及びＢ成分のうち少なくとも１成分が下限値Ｔよりも小さいという条件を表している、Ｙ＜Ｔ＋γ×Ｐｂ＋δ×Ｐｒ（γ及びδは、それぞれ所定の係数である）という第２条件、のうち、少なくとも１つの条件を満たすか否かを判定する手段と；第１条件又は第２条件を満たす場合、ガマット・エラー状態を視覚化可能とする手段と；を備える。
【００１１】
具体的に、本発明の映像信号監視装置は、Ｒ成分、Ｇ成分、Ｂ成分のそれぞれのガマット・エラーを検出する手段を備え、Ｒ成分のガマット・エラーを検出する手段は、Ｙ／色差コンポーネント信号のＰｒ成分（第１色差成分）とＲＧＢコンポーネント信号の上限値Ｓ及び下限値Ｔとから、Ｙ＞Ｓ−ａ×Ｐｒ（ａは、所定の係数である）という第１条件とＹ＜Ｔ−ａ×Ｐｒという第２条件を生成する手段と、第１条件又は第２条件を満たす場合、Ｒ成分に関してガマット・エラー状態を視覚化可能とする手段と、を備え、Ｇ成分のガマット・エラーを検出する手段は、Ｙ／色差コンポーネント信号のＰｒ成分及びＰｂ成分（第２色差成分）とＲＧＢコンポーネント信号の上限値Ｓ及び下限値Ｔとから、Ｙ＞Ｓ＋ｂ×Ｐｂ＋ｃ×Ｐｒ（ｂ及びｃは、それぞれ所定の係数である）という第３条件とＹ＜＋ｂ×Ｐｂ＋ｃ×Ｐｒという第４条件を生成する手段と、第３条件又は第４条件を満たす場合、Ｇ成分に関してガマット・エラー状態を視覚化可能とする手段と、を備え、Ｂ成分のガマット・エラーを検出する手段は、Ｙ／色差コンポーネント信号のＰｂ成分とＲＧＢコンポーネント信号の上限値Ｓ及び下限値Ｔとから、Ｙ＞Ｓ−ｄ×Ｐｒ（ｄは、所定の係数である）という第５条件とＹ＜Ｔ−ｄ×Ｐｒという第６条件を生成する手段と、第５条件又は第６条件を満たす場合、Ｂ成分に関してガマット・エラー状態を視覚化可能とする手段と、を備える。
【００１２】
【発明の実施の形態】
（本発明の原理）
先ず、本発明の原理について、説明する。なお、以下に、ＨＤＴＶ（Ｈｉｇｈ  Ｄｅｆｉｎｉｔｉｏｎ  ＴｅｌｅＶｉｓｉｏｎ）用の映像信号に関して説明するが、以下の式２に示すマトリクス係数を修正することにより、以下に示す原理をＳＤＴＶ（Ｓｔａｎｄａｒｄ  Ｄｅｆｉｎｉｔｉｏｎ  ＴｅｌｅＶｉｓｉｏｎ）用の映像信号に適応することができる。
【００１３】
ＨＤＴＶ用のＲＧＢコンポーネント信号（Ｒ，Ｇ，Ｂ）とＹ／色差コンポーネント信号（Ｙ，Ｐｂ，Ｐｒ）との関係は、ＩＴＵ７０９によって、以下の式１及び式２のように、定められている；
（式１）：
Ｒ＝Ｙ＋ａ×Ｐｒ，
Ｇ＝Ｙ−ｂ×Ｐｂ−ｃ×Ｐｒ，
Ｂ＝Ｙ＋ｄ×Ｐｂ
（式２）：
ａ＝１．５７４８，
ｂ＝０．１８７３，
ｃ＝０．４６８１，
ｄ＝１．８５５６
なお、実際のデジタル伝送規格（ＳＭＰＴＥＭ２７４Ｍ）において、Ｙのスケールは、色差（Ｐｂ又はＰｒ）のスケールと異なるため、式１において、色差信号のそれぞれに係数「４３８／４４８」を乗算する必要がある。しかしながら、ここでは、原理的な説明をするので、その係数を省略している。
【００１４】
次に、ＲＧＢコンポーネント信号の上限値をＳ、下限値をＴと仮定すると、ＲＧＢコンポーネント信号のガマット・エラーは、以下の式３．１〜式３．６の何れか１式の条件を満たすときに、検出される；
（式３．１）：Ｒ＞Ｓ，
（式３．２）：Ｒ＜Ｔ，
（式３．３）：Ｇ＞Ｓ，
（式３．４）：Ｇ＜Ｔ，
（式３．５）：Ｂ＞Ｓ，
（式３．６）：Ｂ＜Ｔ。
【００１５】
式１を用いて、式３．１〜式３．６は、以下の式４．１〜式４．６のように、変形される；
（式４．１）：Ｙ＋ａ×Ｐｒ＞Ｓ，
（式４．２）：Ｙ＋ａ×Ｐｒ＜Ｔ，
（式４．３）：Ｙ−ｂ×Ｐｂ−ｃ×Ｐｒ＞Ｓ，
（式４．４）：Ｙ−ｂ×Ｐｂ−ｃ×Ｐｒ＜Ｔ，
（式４．５）：Ｙ＋ｄ×Ｐｂ＞Ｓ，
（式４．６）：Ｙ＋ｄ×Ｐｂ＜Ｔ。
【００１６】
式４．１〜式４．６は更に、以下の式５．１〜式５．６のように、変形される；
（上限値に関して）
（Ｒ；式５．１）：Ｙ＞Ｓ−ａ×Ｐｒ，
（Ｇ；式５．３）：Ｙ＞Ｓ＋ｂ×Ｐｂ＋ｃ×Ｐｒ，
（Ｂ；式５．５）：Ｙ＞Ｓ−ｄ×Ｐｂ
（下限値に関して）
（Ｒ；式５．２）：Ｙ＜Ｔ−ａ×Ｐｒ，
（Ｇ；式５．４）：Ｙ＜Ｔ＋ｂ×Ｐｂ＋ｃ×Ｐｒ，
（Ｂ；式５．６）：Ｙ＜Ｔ−ｄ×Ｐｂ。
【００１７】
従って、式５．１〜式５．６を用いて、（変換されたＲＧＢコンポーネント信号を監視するのではなく、）元のＹ／色差コンポーネント信号を監視することにより、その結果、ＲＧＢコンポーネント信号のガマット・エラーは、式５．１〜式５．６の何れか１式の条件を満たすときに、検出される。
（本発明の実施形態）
以下に、本発明の実施の形態について、図面を参照して説明する。
【００１８】
図２ａは、コンポーネント信号のＲ成分のガマット・エラーを検出するためのブロック図を表し、図２ｂは、Ｇ成分のガマット・エラーを検出するためのブロック図を表し、図２ｃは、Ｂ成分のガマット・エラーを検出するためのブロック図を表す。
【００１９】
本発明の映像信号監視装置は、ＲＧＢコンポーネント信号のＲ成分のガマット・エラーを検出するために、上述の式５．１及び式５．２のそれぞれの条件を満たすか否かを判定する。図２ａに示すように、Ｒ成分のガマット・エラーを検出する手段７０は、Ｙ／色差コンポーネント信号のＰｒ成分（第１色差成分）を入力し、Ｐｒ成分に式２中の第１係数ａを乗算して、ａ×Ｐｒ成分を出力する乗算器７１と、ａ×Ｐｒ成分とＲＧＢコンポーネント信号の上限値Ｓとを入力し、Ｓからａ×Ｐｒ成分を減算して、（Ｓ−ａ×Ｐｒ）成分を出力する減算器７２と、Ｙ／色差コンポーネント信号のＹ成分と（Ｓ−ａ×Ｐｒ）成分とを入力し、Ｙ成分が（Ｓ−ａ×Ｐｒ）成分よりも大きいか否かを比較し、上述の式５．１の条件を満たすか否かを表す第１比較結果を出力する比較器７３と、ａ×Ｐｒ成分とＲＧＢコンポーネント信号の下限値Ｔとを入力し、Ｔからａ×Ｐｒ成分を減算して、（Ｔ−ａ×Ｐｒ）成分を出力する減算器７４と、Ｙ／色差コンポーネント信号のＹ成分と（Ｔ−ａ×Ｐｒ）成分とを入力し、Ｙ成分が（Ｓ−ａ×Ｐｒ）成分よりも小さいか否かを比較し、上述の式５．２の条件を満たすか否かを表す第２比較結果を出力する比較器７５と、第１比較結果及び第２比較結果を入力し、上述の式５．１又は式５．２の条件を満たす場合、Ｒ成分に関して上限値Ｓ又は下限値Ｔに対応するガマット・エラーを視覚可能とし、式５．１及び式５．２の条件を満たさない場合、Ｒ成分に関して正常状態を視覚可能とする出力器７６と、を備える。
【００２０】
本発明の映像信号監視装置は更に、ＲＧＢコンポーネント信号のＧ成分のガマット・エラーを検出するために、上述の式５．３及び式５．４のそれぞれの条件を満たすか否かを判定する。図２ｂに示すように、Ｂ成分のガマット・エラーを検出する手段８０は、Ｙ／色差コンポーネント信号のＰｂ成分（第２色差成分）を入力し、Ｐｂ成分に式２中の第２係数ｂを乗算して、ｂ×Ｐｂ成分を出力する乗算器８１と、Ｙ／色差コンポーネント信号のＰｒ成分（第１色差成分）を入力し、Ｐｒ成分に式２中の第３係数ｃを乗算して、ｃ×Ｐｒ成分を出力する乗算器８２と、ｂ×Ｐｂ成分とｃ×Ｐｒ成分とＲＧＢコンポーネント信号の上限値Ｓとを入力し、Ｓにｂ×Ｐｂ成分とｃ×Ｐｒ成分とを加算して、（Ｓ＋ｂ×Ｐｂ＋ｃ×Ｐｒ）成分を出力する加算器８３と、Ｙ／色差コンポーネント信号のＹ成分と（Ｓ＋ｂ×Ｐｂ＋ｃ×Ｐｒ）成分とを入力し、Ｙ成分が（Ｓ＋ｂ×Ｐｂ＋ｃ×Ｐｒ）成分よりも大きいか否かを比較し、上述の式５．３の条件を満たすか否かを表す第３比較結果を出力する比較器８４と、ｂ×Ｐｂ成分とｃ×Ｐｒ成分とＲＧＢコンポーネント信号の下限値Ｔとを入力し、Ｔにｂ×Ｐｂ成分とｃ×Ｐｒ成分とを加算して、（Ｔ＋ｂ×Ｐｂ＋ｃ×Ｐｒ）成分を出力する加算器８５と、Ｙ／色差コンポーネント信号のＹ成分と（Ｔ＋ｂ×Ｐｂ＋ｃ×Ｐｒ）成分とを入力し、Ｙ成分が（Ｔ＋ｂ×Ｐｂ＋ｃ×Ｐｒ）成分よりも小さいか否かを比較し、上述の式５．４の条件を満たすか否かを表す第４比較結果を出力する比較器８６と、第３比較結果及び第４比較結果を入力し、上述の式５．３又は式５．４の条件を満たす場合、Ｇ成分に関して上限値Ｓ又は下限値Ｔに対応するガマット・エラーを視覚可能とし、式５．３及び式５．４の条件を満たさない場合、Ｇ成分に関して正常状態を視覚可能とする出力器８７と、を備える。
【００２１】
本発明の映像信号監視装置は更に、ＲＧＢコンポーネント信号のＢ成分のガマット・エラーを検出するために、上述の式５．５及び式５．６のそれぞれの条件を満たすか否かを判定する。図２ｃに示すように、Ｂ成分のガマット・エラーを検出する手段９０は、Ｙ／色差コンポーネント信号のＰｂ成分（第２色差成分）を入力し、Ｐｂ成分に式２中の第４係数ｄを乗算して、ｄ×Ｐｂ成分を出力する乗算器９１と、ｄ×Ｐｂ成分とＲＧＢコンポーネント信号の上限値Ｓとを入力し、Ｓからｄ×Ｐｂ成分を減算して、（Ｓ−ｄ×Ｐｂ）成分を出力する減算器９２と、Ｙ／色差コンポーネント信号のＹ成分と（Ｓ−ｄ×Ｐｂ）成分とを入力し、Ｙ成分が（Ｓ−ｄ×Ｐｂ）成分よりも大きいか否かを比較し、上述の式５．５の条件を満たすか否かを表す第５比較結果を出力する比較器９３と、ｄ×Ｐｂ成分とＲＧＢコンポーネント信号の下限値Ｔとを入力し、Ｔからｄ×Ｐｂ成分を減算して、（Ｔ−ｄ×Ｐｂ）成分を出力する減算器９４と、Ｙ／色差コンポーネント信号のＹ成分と（Ｔ−ｄ×Ｐｂ）成分とを入力し、Ｙ成分が（Ｔ−ｄ×Ｐｂ）成分よりも小さいか否かを比較し、上述の式５．６の条件を満たすか否かを表す第６比較結果を出力する比較器９５と、第５比較結果及び第６比較結果を入力し、上述の式５．５又は式５．６の条件を満たす場合、Ｒ成分に関して上限値Ｓ又は下限値Ｔに対応するガマット・エラーを視覚可能とし、式５．５及び式５．６の条件を満たさない場合、Ｒ成分に関して正常状態を視覚可能とする出力器９６と、を備える。
【００２２】
出力器７６、８７及び９６のそれぞれは、具体的に、第１発光手段〜第３発光手段を備え、上限値Ｓに対応するガマット・エラーを表示する場合、第１発光手段（例えば、赤色ＬＥＤ）を点灯させ、正常状態を表示する場合、第２発光手段（例えば、緑色ＬＥＤ）を点灯させ、下限値Ｔに対応するガマット・エラーを表示する場合、第３発光手段（例えば、赤色ＬＥＤ）を点灯させる。なお、出力器７６、８７及び９６のそれぞれは、第２発光手段を備えなくてもよい。
【００２３】
例えば、出力器７６の第１発光手段が、点灯する場合、ユーザは、上述の式５．１の条件（Ｙ＞Ｓ−ａ×Ｐｒ）を満たしていることを把握できる。従って、ユーザは、Ｙ成分が小さくなるようにＹ成分を容易に調整し、或いは、Ｐｒ成分が大きくなるようにＰｒ成分を容易に調整することができる。
【００２４】
出力器７６、８７及び９６のそれぞれは、上限値Ｓ、正常状態、及び下限値Ｔにそれぞれ対応する１つの発光手段を備えることもできる。即ち、出力器７６、８７及び９６のそれぞれは、上限値Ｓに対応するガマット・エラーを表示する場合、その発光手段を第１周期で点滅させ、正常状態を表示する場合、その発光手段を消灯させ、下限値Ｔに対応するガマット・エラーを表示する場合、その発光手段を第２周期（例えば、第２周期＞第１周期）で点灯させる。
【００２５】
図３は、図２ａ〜図２ｃに示す出力器７６、８７及び９６の変形例を示す。図３に示すように、出力器１００は、比較器７３、８４及び９３から第１比較結果、第３比較結果及び第５比較結果を入力し、上述の式５．１、式５．３又は式５．５の条件を満たす場合、ＲＧＢコンポーネント信号に関して上限値Ｓに対応するガマット・エラーを視覚可能とし、比較器７５、８６及び９５から第２比較結果、第４比較結果及び第６比較結果を入力し、式５．２、式５．４又は式５．６の条件を満たす場合、ＲＧＢコンポーネント信号に関して下限値Ｓに対応するガマット・エラーを視覚可能とし、式５．１、式５．２、式５．３、式５．４、式５．５及び式５．６の条件を満たさない場合、ＲＧＢコンポーネント信号に関して正常状態を視覚可能とする。なお、出力器１００は、正常状態を視覚可能としなくてもよい。
【００２６】
例えば、出力器１００が上限値Ｓに対応するガマット・エラーを表示する場合、ユーザは、上述の式５．１、式５．３又は式５．５の条件（Ｙ＞Ｓ−ａ×Ｐｒ、Ｙ＞Ｓ＋ｂ×Ｐｂ＋ｃ×Ｐｒ、又はＹ＞Ｓ−ｄ×Ｐｂ）を満たしていることを把握できる。従って、ユーザは、Ｙ成分が小さくなるようにＹ成分を容易に調整することができる。
【図面の簡単な説明】
【図１】ＲＧＢコンポーネント信号のガマットとＹ／色差コンポーネント信号のガマットとを表す図である。
【図２ａ】図２ａは、コンポーネント信号のＲ成分のガマット・エラーを検出するためのブロック図を表す。
【図２ｂ】図２ｂは、Ｇ成分のガマット・エラーを検出するためのブロック図を表す。
【図２ｃ】図２ｃは、Ｂ成分のガマット・エラーを検出するためのブロック図を表す。
【図３】図２ａ〜図２ｃに示す出力器７６、８７及び９６を変形した出力器１００を示す図である。
【図１】
2004260284.tif 000003
【図２ａ】
2004260284.tif 000004
【図２ｂ】
2004260284.tif 000005
【図２ｃ】
2004260284.tif 000006
【図３】
2004260284.tif 000007